(57)【要約】【課題】  従来の郵便封筒と異なり、単に内容物を封入するだけでなく、封筒の用紙に多量のデータをプリント可能とし、しかもフィルムによる窓を省略して省資源かつゴミ減らしにも貢献できること。【解決手段】（１）縦長の用紙を複数区画に分割し、その上端・下端をそれぞれ封緘用とアドレス・プリント用の２つフラップとして利用する。（２）圧着接着剤、縦・横ミシン目を利用し、用紙の片側（封筒内面）の大部分をデータ・プリント可能区画に分割する。（３）折り及び圧着して上部フラップを開いた状態の封筒とし、内容物を封入後このフラップにて封緘する。（４）もし、内容物を必要としない場合には、上部フラップをも下部フラップと同様に折って圧着・封緘する。【選択図】  図２
2005067724.tif 000002
【特許請求の範囲】
【請求項１】
縦又は上下方向に長いフォームを、境界線となる横ミシン線及び横折り線によって，縦方向に沿って複数区画に分割し、最上及び最下端をそれぞれ横長の上及び下フラップとし、上フラップを封筒の封緘用フラップとし、下フラップを住所・宛名用のアドレス・プリント用フラップとし、これら区画の表・裏の所定の位置に感圧接着剤の乾燥部を設け、このフォーム上部フラップを除いた裏区画全体をデータ・プリント区画とし、プリンターによってこの区画にデータ・プリントし、所定の折り方によって、このフォームを折り、次に全体を圧着して圧着封筒とするが、このとき下端アドレスフラップが外側に向いてアドレスが外側に現れるようにし、上部フラップは圧着されないで封緘用フラップとなるようにし、また、データ・プリントされたその他の区画の全体又は大部分を内側に向いて外部から見えないように折るものとし、その後、必要に応じて別の内容物を上フラップの所から封入・封緘可能とし、また内容物封入が不要の場合には、上部フラップをも下部フラップと同様な方法により圧着可能な特徴を有するダブル・フラップ・データ付き封筒。
【発明の詳細な説明】
【発明の詳細な説明】
【技術分野】
【０００１】本発明は、現在一般的に広く利用されいるデータープリントされた用紙を内容物として包含する郵便物に関するものである。
【発明が解決しようとする課題】
【０００２】前記郵便物に於いては、データープリントされた用紙は折られてからこれとは別の封筒に入れてメールされるのが普通である。
封筒には、その表面に住所・宛名がプリントされるか、又は内容物の用紙にプリントされた住所・宛名を外部から読み取り可能とする透明な窓付きとなっていて、後者の場合窓の上に透明プラスチックフィルムを貼合わされている封筒を使用しその使用後は用紙のリサイクル困難なゴミとして捨てられ環境保護に反する。
また、封筒には住所・宛名以外のデーターをプリントすることは出来ず、データーはすべて別の複数枚の用紙にプリントされて封入されるので、データー・プリント量が多い場合には、複数枚のこれら用紙同志の宛名のマッチングの点で不便である。
本発明の課題は、メールすべきデーター量が多い場合に於ても、１枚の縦長の用紙と封筒を一体とし、限られた郵便料の範囲で最大限のデーター量を１枚の用紙にプリントすることによってミスマッチを防ぐと同時に別の内容物をも封入可能でコスト減と同時に直ちに捨てられずゴミ減らし省資源を可能とするデータ付き封筒を提供しようとするものである。
【課題を解決するための手段】
【０００３】（１）縦長の用紙を複数区画に分割しその上及び下段をそれぞれ封緘用及びアドレスプリント用のフラップとする。
（２）用紙片側（封筒の内側）の上端フラップ部を除いた大きな部分をデータ・プリントの区画とする。
（３）所定の折り線及び感圧接着剤の縦・横乾燥部を設けて折り及び圧着を行う。
（４）上部フラップは開いたままにして、内容物を封入後封緘する。
下部フラップは圧着封緘し、その上にプリントされたアドレスが外側にくるようにする。
（５）もし内容部の封入を必要としないときは、上部フラップも下部フラップと同様に接着・封緘する。
【本発明の実施形態】
【０００４】
【実施例１】
【０００５】  図１，２，３，４，５
図１は本発明による封筒用フォーム１の裏面正面図であって１は折り線３−１，３−２，３−３，３−４によって５区画１−１’，１−２’，１−３’，１−４’，１−５’の５区画に分割されて、１−１’，１−５’はそれぞれ上端及下端のフラップ、その他の１−２’，１−３’，１−４’はデータ面である。  １の左右両端の巾の狭い切り取り部分２−１’，２−２’は、縦ミシン４−１，４−２によって区切られており、１−２’，１−３’の両側の切り部分には感圧接着剤の乾燥部５−１，５−２（縦）が設けられている。
図２は１の表面正面図であって、１−３，１−４区画の両端の切取り部分及び１−２，１−５区画の一部に感圧接着剤の乾燥部６−１，６−２（縦）及び７−１，７−２（横）が設けられている。
このようなフォーム１の裏面の上部フラップ１−１’を除いた全区画１−２’，１−３’，１−４’，１−５’のすべてにデータ・プリントし、図３（側面図）のように折り、縦方向の感圧接着剤の乾燥部５−１と５−２，６−１と６−２及び横方向の７−１，７−２が重なり合うようにし、その上を圧着することによって所期のダブル・フラップ・データ付き封筒図４が得られる。  このときデータ面１−２’，１−３’は内側に隠され、１−４’アドレス及びネームをプリントされた下部フラップ１−５’が外側に現れて封筒表面のアドレス・ネームとなる。  また上部フラップ１−１は折られずにインサーターによって別個の内容物９（カタログ、，チラシ、‥‥）をこの部分から封入封緘して図５のような内容部入りダイレクト・メール１０が得られる。このように本発明を利用すれば、１枚の封筒用フォームを利用して多量のデータ・プリントを包含するダイレクト・メール１０が可能になる。
また内容物の封入が不要の場合には上部フラップについても下部フラップと同様な方法により圧着・封緘することが可能である。
【図面の簡単な説明】
【図１】本発明による封筒用紙の裏面正面図
【図２】本発明による封筒用紙の表面正面図
【図３】本発明による折られた用紙の側面図
【図４】本発明による圧着された封筒の正面図
【図５】本発明による封筒に内容物を封入されたダイレクトメールの正面図
【符号の説明】
１                                                ：縦長のフォーム用紙
１−１，１−２，１−３，１−４，１−５            ：分割された表区画
１−１’，１−２’，１−３’，１−４’，１−５’  ：分割された裏区画
２−１．２−２，２−１’，２−２’                ：フォーム長辺の両端
３−１，３−２，３−３，３−４                    ：各区画の境界線
４−１，４−２                                    ：縦ミシン目
５−１．５−２                                    ：感圧接着剤の縦乾燥部〔縦〕
６−１，６−２                                    ：感圧接着剤の縦乾燥部〔縦〕
７−１，７−２                                    ：感圧接着剤の横乾燥部〔横〕
８                                                ：圧着封筒
９                                                ：内容物
１０                                              ：完成されたダイレクトメール
【本発明の効果】
【０００６】（１）住所・宛名とその他の色々なデータは、１枚のシート上にまとめてデータプリントされ、これらを分離することなく１セットの封書に仕上げられるので、データのミスマッチが生じない。
（２）プリントされて郵送されるデーター量が多い場合、また大型の内容物を入れたい場合には、それに応じて元の用紙を拡張することによって対応できるので非常に便利である。
（３）従来型封筒を必要としないので重量を減らし、郵送料を節約でき、ゴミを減らすとともに省資源に役立つ。
（４）従来の封筒と異なり、プラスチック・フィルムの窓を必要としないのでコストダウンが可能であり、ゴミ処理についても問題がない。
（５）カタログ，チラシ、・・・・の他の同封物を必要とする場合にも対応できる。
（６）縦長式フォーム用紙の大部分をカタログ、ファックス用紙、返信ハガキ、明細書、振替用紙、・・・・としても利用でき、しかもデータ・プリントできるので非常に便利である。
【図１】
2005067724.tif 000003
【図２】
2005067724.tif 000004
【図３】
2005067724.tif 000005
【図４】
2005067724.tif 000006
【図５】
2005067724.tif 000007